(57)【要約】【課題】電力の供給が停止された場合においても、冷媒回路内の圧力のバランスを保持することにより、異音の発生や圧縮機の起動性の悪化を防止することのできる冷却加熱装置を提供する。【解決手段】冷媒回路５０に、第１〜第３の電磁弁５４ａ，５４ｂ，５４ｃを閉鎖したときに、第３の電磁弁５４ｃの第３の放熱器４２側の流路と第３の電磁弁５４ｃの圧縮機４１側の流路との間に冷媒を流通可能なバイパス流路を設けたので、電力の供給が停止された場合においても、冷媒回路５０内の第１〜第３の電磁弁５４ａ，５４ｂ，５４ｃの上流側と下流側との間の圧力のバランスを保持することができ、異音の発生や圧縮機４１の起動性の悪化を防止することが可能となる。【選択図】図７
2009139022.tif 000002
【特許請求の範囲】
【請求項１】
圧縮機の吐出側の冷媒流路に複数の熱交換器が並列に接続され、各熱交換器の冷媒流入側の冷媒流路にそれぞれ冷媒流路を開閉する電磁弁が設けられた冷媒回路を備えた冷却加熱装置において、
前記冷媒回路に、全ての電磁弁が閉鎖したときに、電磁弁の熱交換器側の冷媒流路と電磁弁の圧縮機側の冷媒流路との間に冷媒を流通可能なバイパス流路を設けた
ことを特徴とする冷却加熱装置。
【請求項２】
前記バイパス流路に、電磁弁が設けられた冷媒流路の流通抵抗よりも大きな流通抵抗を付与可能な流通抵抗付与手段を設けた
ことを特徴とする請求項１記載の冷却加熱装置。
【請求項３】
前記流通抵抗付与手段として、キャピラリチューブを用いた
ことを特徴とする請求項２記載の冷却加熱装置。
【請求項４】
前記バイパス流路に、電磁弁の熱交換器側の冷媒流路から電磁弁の圧縮機側の冷媒流路に向かう方向にのみ冷媒を流通させるように逆止弁を設けた
ことを特徴とする請求項1記載の冷却加熱装置。
【請求項５】
圧縮機の吐出側の冷媒流路に複数の熱交換器が並列に接続された冷媒回路を備え、
前記複数の熱交換器の冷媒流入側の冷媒流路のうち、一部の熱交換器の冷媒流入側の冷媒流路を除く熱交換器の冷媒流入側の冷媒流路に、冷媒流路を開閉する電磁弁を設け、
前記一部の熱交換器の冷媒流入側の冷媒流路に、電磁弁が設けられた冷媒流路の冷媒の流通抵抗よりも大きな流通抵抗を付与可能な流通抵抗付与手段を設けた
ことを特徴とする冷却加熱装置。
【請求項６】
前記流通抵抗付与手段として、キャピラリチューブを用いた
ことを特徴とする請求項５記載の冷却加熱装置。
【発明の詳細な説明】
【技術分野】
【０００１】
本発明は、圧縮機の冷媒吐出側の冷媒流路に複数の熱交換器が並列に接続された冷媒回路を備えた冷却加熱装置に関するものである。
【背景技術】
【０００２】
従来、この種の冷却加熱装置としては、圧縮機の吐出側の冷媒流路に複数の熱交換器が並列に接続され、各熱交換器の冷媒流入側の冷媒流路にそれぞれ冷媒流路を開閉する電磁弁が設けられた冷媒回路を備えたものが知られている（例えば、特許文献１参照）。
【特許文献１】特開２００２−１７４４７８号公報
【発明の開示】
【発明が解決しようとする課題】
【０００３】
前記冷却加熱装置では、冷媒回路を流通する冷媒として、冷媒回路内が高圧となる二酸化炭素等の自然系冷媒が用いられるため、運転状態に拘わらず冷媒回路内の圧力のバランスを各電磁弁の開閉により保持するようになっている。しかし、メンテナンス時や停電時など電力の供給を停止する場合には、圧縮機が停止するとともに、電磁弁が閉鎖した状態となるため、冷媒回路内の圧力のバランスを保持することができず、冷媒回路内の電磁弁の上流側の冷媒流路と下流側の冷媒流路との間の圧力差が大きくなり、異音が発生したり、圧縮機を再び運転する際に起動性が悪化したりするおそれがある。
【０００４】
本発明の目的とするところは、電力の供給が停止された場合においても、冷媒回路内の圧力のバランスを保持することにより、異音の発生や圧縮機の起動性の悪化を防止することのできる冷却加熱装置を提供することにある。
【課題を解決するための手段】
【０００５】
本発明は前記目的を達成するために、圧縮機の吐出側の冷媒流路に複数の熱交換器が並列に接続され、各熱交換器の冷媒流入側の冷媒流路にそれぞれ冷媒流路を開閉する電磁弁が設けられた冷媒回路を備えた冷却加熱装置において、前記冷媒回路に、全ての電磁弁が閉鎖したときに、電磁弁の熱交換器側の冷媒流路と電磁弁の圧縮機側の冷媒流路との間に冷媒を流通可能なバイパス流路を設けている。
【０００６】
これにより、全ての電磁弁を閉鎖したときに、冷媒回路内の冷媒が、バイパス流路を介して電磁弁の熱交換器側の冷媒流路から電磁弁の圧縮機側の冷媒流路に向かって流通することから、冷媒回路内の電磁弁の上流側の冷媒流路と下流側の冷媒流路との間の圧力のバランスが保持される。
【０００７】
また、前記目的を達成するために、圧縮機の吐出側の冷媒流路に複数の熱交換器が並列に接続された冷媒回路を備え、前記複数の熱交換器の冷媒流入側の冷媒流路のうち、一部の熱交換器の冷媒流入側の冷媒流路を除く熱交換器の冷媒流入側の冷媒流路に、冷媒流路を開閉する電磁弁を設け、前記一部の熱交換器の冷媒流入側の冷媒流路に、電磁弁が設けられた冷媒流路の冷媒の流通抵抗よりも大きな流通抵抗を付与可能な流通抵抗付与手段を設けている。
【０００８】
これにより、全ての電磁弁を閉鎖したときに、冷媒回路内の冷媒が、流通抵抗付与手段を介して電磁弁の熱交換器側の冷媒流路から電磁弁の圧縮機側の冷媒流路に向かって流通することから、冷媒回路内の電磁弁の上流側の冷媒流路と下流側の冷媒流路との間の圧力のバランスが保持される。
【発明の効果】
【０００９】
本発明によれば、電力の供給が停止された場合においても、冷媒回路内の電磁弁の上流側と下流側との間の圧力のバランスを保持することができるので、異音の発生や圧縮機の起動性の悪化を防止することが可能となる。
【発明を実施するための最良の形態】
【００１０】
図１乃至図７は本発明の第１実施形態を示すもので、図１は自動販売機の全体斜視図、図２は自動販売機の正面断面図、図３は自動販売機の側面断面図、図４は冷媒回路を示す自動販売機の概略構成図、図５は第１の収納部、第２の収納部及び第３の収納部を全て冷却する場合を示す自動販売機の概略構成図、図６は第１の収納部を加熱するとともに、第２の収納部及び第３の収納部を冷却する場合を示す自動販売機の概略構成図、図７は圧縮機の冷媒吐出側の冷媒流路を示す冷媒回路図である。
【００１１】
この冷却加熱装置としての自動販売機は、前面を開口した自動販売機本体１０と、自動販売機本体１０の前面を開閉する外扉２０とを備えている。
【００１２】
自動販売機本体１０は、内部を上下に仕切ることにより、上部に商品収納部３０が設けられ、下部に機械室４０が設けられている。
【００１３】
外扉２０は、商品サンプルを収納して展示するためのサンプル展示部２１、商品選択スイッチ２２、硬貨投入口２３、紙幣投入口２４、返却レバー２５、硬貨返却口２６及び商品取出口２７が前面に設けられている。外扉２０は、左右方向の一端側が自動販売機本体１０の左右方向の一端側に回転自在に支持されている。
【００１４】
商品収納部３０は、上面側、背面側、底面側及び左右両側面側が断熱材３１によって形成され、商品収納部３０の前面側は、断熱性の内扉３２によって開閉されるようになっている。また、商品収納部３０は、断熱性の仕切板３３によって左右に仕切られており、第１の収納部３０ａ、第２の収納部３０ｂ及び第３の収納部３０ｃが設けられている。第１の収納部３０ａ、第２の収納部３０ｂ及び第３の収納部３０ｃのそれぞれには、商品を上下に積み重ねて収納し、下端側から商品を一つずつ搬出可能な商品収納コラム３４が複数設けられている。
【００１５】
第１の収納部３０ａには、第１の収納部３０ａに収納された商品を冷却するための第１の蒸発器３５ａと、第１の収納部３０ａに収納された商品を加熱するための熱交換器としての第１の放熱器３６ａと、第１の蒸発器３５ａまたは第１の放熱器３６ａを流通する冷媒と熱交換する空気を流通させるための第１の送風機３７ａと、第１の放熱器３６ａによって商品を加熱する際に不足する熱量を補うための第１の電熱ヒータ３８ａとが設けられている。
【００１６】
第２の収納部３０ｂには、第２の収納部３０ｂに収納された商品を冷却するための第２の蒸発器３５ｂと、第２の収納部３０ｂに収納された商品を加熱するための熱交換器としての第２の放熱器３６ｂと、第２の蒸発器３５ｂまたは第２の放熱器３６ｂを流通する冷媒と熱交換する空気を流通させるための第２の送風機３７ｂと、第２の放熱器３６ｂによって商品を加熱する際に不足する熱量を補うための第２の電熱ヒータ３８ｂとが設けられている。
【００１７】
第３の収納部３０ｃには、第３の収納部３０ｃに収納された商品を冷却するための第３の蒸発器３５ｃと、第３の蒸発器３５ｃを流通する冷媒と熱交換する空気を流通させるための第３の送風機３７ｃとが設けられている。
【００１８】
本実施形態において、第１の収納部３０ａ及び第２の収納部３０ｂは、収納された商品の冷却または加熱の切換が可能であり、第３の収納部３０ｃは商品の冷却のみをおこなうようになっている。
【００１９】
機械室４０は、外部の空気が内部を流通するように吸気口及び排気口が設けられている。機械室４０内には、冷媒を圧縮するための圧縮機４１と、機械室４０内を流通する空気に廃熱を放出するための熱交換器としての第３の放熱器４２と、機械室４０内に外部の空気を流通させるための機械室用送風機４３が設けられている。
【００２０】
圧縮機４１は、低段側圧縮部４１ａと高段側圧縮部４１ｂを有する二段圧縮機からなり、吸入した冷媒を低段側圧縮部４１ａにおいて圧縮し、低段側圧縮部４１ａにおいて圧縮された冷媒を更に高段側圧縮部４１ｂにおいて圧縮して吐出するものである。二段圧縮機は、冷媒を二段階に圧縮することから、高い動作圧力及び高い差圧に対応することが可能であり、例えば二酸化炭素等を冷媒として用いた冷媒回路に適用される。
【００２１】
また、商品収納部３０及び機械室４０には、図４に示すような冷媒回路５０が構成され、自然系冷媒であり高圧側が超臨界状態となる二酸化炭素が冷媒として用いられる。冷媒回路５０は、第１の蒸発器３５ａ、第２の蒸発器３５ｂ、第３の蒸発器３５ｃ、第１の放熱器３６ａ、第２の放熱器３６ｂ、圧縮機４１、第３の放熱器４２、第３の放熱器４２から流出する冷媒と第１の蒸発器３５ａ、第２の蒸発器１５ｂ及び第３の蒸発器１５ｃから流出する冷媒とを熱交換するための第１の内部熱交換器５１、圧縮機４１に吸入される冷媒と第１の放熱器３６ａ及び第２の放熱器３６ｂから流出する冷媒とを熱交換するための第２の内部熱交換器５２、冷媒を減圧するための第１〜第４の膨張弁５３ａ，５３ｂ，５３ｃ，５３ｄ、冷媒の流路を開閉するための第１〜第６の電磁弁５４ａ，５４ｂ，５４ｃ，５４ｄ，５４ｅ，５４ｆ、流通抵抗付与手段としてのキャピラリチューブ５５を有し、銅管またはステンレス管によって接続されている。ここで、第１〜第６の電磁弁５４ａ，５４ｂ，５４ｃ，５４ｄ，５４ｅ，５４ｆは、通電しない状態で流路を閉鎖し、通電することによって流路を開放するようになっている。
【００２２】
圧縮機４１の冷媒吐出側は、第１の放熱器３６ａ及び第２の放熱器３６ｂの冷媒流入側に並列に接続され、第１の放熱器３６ａ及び第２の放熱器３６ｂの冷媒流入側の流路には、それぞれ第１の電磁弁５４ａ及び第２の電磁弁５４ｂが設けられている。第１の放熱器３６ａ及び第２の放熱器３６ｂの冷媒流出側は、第２の内部熱交換器５２の高圧冷媒流入側に並列に接続され、第２の内部熱交換器５２の高圧冷媒流出側は、第３の放熱器４２に冷媒流入側に接続されている。また、第３の放熱器４２の冷媒流入側の流路には、圧縮機４１の冷媒吐出側が第３の電磁弁５４ｃを介して接続されている。更に、第３の電磁弁５４ｃの上流側の流路と下流側の流路は、第３の電磁弁５４ｃをバイパスするバイパス流路によって接続され、バイパス流路にはキャピラリチューブ５５が設けられている。第３の放熱器４２の冷媒流出側は、第１の内部熱交換器５１の高圧冷媒流入側に接続され、第１の内部熱交換器５１の高圧冷媒流出側は、第１の蒸発器３５ａ、第２の蒸発器３５ｂ及び第３の蒸発器３５ｃに並列に接続されている。第１の蒸発器３５ａ、第２の蒸発器３５ｂ及び第３の蒸発器３５ｃの冷媒流入側の流路には、それぞれ第１の膨張弁５３ａ、第２の膨張弁５３ｂ及び第３の膨張弁５３ｃが設けられ、第１の膨張弁５３ａ、第２の膨張弁５３ｂ及び第３の膨張弁５３ｃの上流側の流路には、それぞれ第４の電磁弁５４ｄ、第５の電磁弁５４ｅ及び第６の電磁弁５４ｆが設けられている。また、第１の内部熱交換器５１の高圧冷媒流出側と第４の電磁弁５４ｄ、第５の電磁弁５４ｅ及び第６の電磁弁５４ｆとの間の流路には、第４の膨張弁５３ｄが設けられている。第１の蒸発器３５ａ、第２の蒸発器３５ｂ及び第３の蒸発器３５ｃの冷媒流出側は、第１の内部熱交換器５１の低圧冷媒流入側に接続され、第１の内部熱交換器５１の低圧冷媒流出側は、第２の内部熱交換器５２の低圧冷媒流入側に接続されている。また、第２の内部熱交換器５２の低圧冷媒流出側は、圧縮機４１の冷媒吸入側に接続されている。
【００２３】
以上のように構成された冷却加熱装置としての自動販売機において、第１の収納部３０ａ、第２の収納部３０ｂ及び第３の収納部３０ｃを全て冷却する場合を図５に基づいて説明する。この場合、第１の電磁弁５４ａ及び第２の電磁弁５４ｂを閉鎖し、第３の電磁弁５４ｃ、第４の電磁弁５４ｄ、第５の電磁弁５４ｅ及び第６の電磁弁５４ｆを開放し、第１の送風機３７ａ、第２の送風機３７ｂ、第３の送風機３７ｃ、圧縮機４１、機械室用送風機４３を運転する。
【００２４】
圧縮機４１から吐出された冷媒は、第３の電磁弁５４ｃ、第３の放熱器４２、第１の内部熱交換器５１の高圧側を順次流通し、第４の膨張弁５３ｄを流通した後に分岐されて第４の電磁弁５４ｄ、第５の電磁弁５４ｅ及び第６の電磁弁５４ｆが設けられた流路に流入する。第４の電磁弁５４ｄが設けられた流路を流通する冷媒は、第１の膨張弁５３ａ、第１の蒸発器３５ａを流通して第１の内部熱交換器５１の低圧側に流入し、第５の電磁弁５４ｅが設けられた流路を流通する冷媒は、第２の膨張弁５３ｂ、第２の蒸発器３５ｂを流通して第１の内部熱交換器５１の低圧側に流入し、第６の電磁弁５４ｆが設けられた流路を流通する冷媒は、第３の膨張弁５３ｃ、第３の蒸発器３５ｃを流通して第１の内部熱交換器５１の低圧側に流入し、第１の内部熱交換器５１の低圧側から流出した冷媒は、第２の内部熱交換器５２の低圧側を通過して圧縮機４１に吸入される。
【００２５】
このとき、第２の内部熱交換器５２の高圧側の冷媒流路には冷媒が流通しないため、第２の内部熱交換器５２の低圧側の冷媒流路を流通する冷媒は熱交換することなく圧縮機４１に吸入される。
【００２６】
次に、第１の収納部３０ａを加熱し、第２の収納部３０ｂ及び第３の収納部３０ｃを冷却する場合を図６に基づいて説明する。この場合、第２の電磁弁５４ｂ、第３の電磁弁５４ｃ及び第４の電磁弁５４ｄを閉鎖し、第１の電磁弁５４ａ、第５の電磁弁５４ｅ及び第６の電磁弁５４ｆを開放し、第１の送風機３７ａ、第２の送風機３７ｂ、第３の送風機３７ｃ、圧縮機４１、圧縮機用送風機４１ｅ及び機械室用送風機４３を運転する。
【００２７】
圧縮機４１から吐出された冷媒は、第１の電磁弁５４ａ、第１の放熱器３６ａ、第２の内部熱交換器５２の高圧側、第３の放熱器４２、内部熱交換器５１の高圧側を流通し、第４の膨張弁５３ｄを流通した後に分岐されて第５の電磁弁５４ｅ及び第６の電磁弁５４ｆが設けられた流路に流入する。第５の電磁弁５４ｅが設けられた流路を流通する冷媒は、第２の膨張弁５３ｂ、第２の蒸発器３５ｂを流通して第１の内部熱交換器５１の低圧側に流入し、第６の電磁弁５４ｆが設けられた流路を流通する冷媒は、第３の膨張弁５３ｃ、第３の蒸発器３５ｃを流通して第１の内部熱交換器５１の低圧側に流入し、第１の内部熱交換器５１の低圧側から流出した冷媒は、第２の内部熱交換器５２の低圧側を流通して圧縮機４１に吸入される。
【００２８】
また、第２の収納部３０ｂを加熱し、第１の収納部３０ａ及び第３の収納部３０ｃを冷却する場合には、第１の電磁弁５４ａ、第３の電磁弁５４ｃ及び第５の電磁弁５４ｅを閉鎖し、第２の電磁弁５４ｂ、第４の電磁弁５４ｄ及び第６の電磁弁５４ｆを開放し、第１の送風機３７ａ、第２の送風機３７ｂ、第３の送風機３７ｃ、圧縮機４１、圧縮機用送風機４１ｅ及び機械室用送風機４３を運転する。
【００２９】
更に、第１の収納部３０ａ及び第２の収納部３０ｂを加熱し、第３の収納部３０ｃを冷却する場合には、第３の電磁弁５４ｃ、第４の電磁弁５４ｄ及び第５の電磁弁５４ｅを閉鎖し、第１の電磁弁５４ａ、第２の電磁弁５４ｂ及び第６の電磁弁５４ｆを開放し、第１の送風機３７ａ、第２の送風機３７ｂ、第３の送風機３７ｃ、圧縮機４１、圧縮機用送風機４１ｅ及び機械室用送風機４３を運転する。
【００３０】
また、メンテナンスや停電時など電力の供給が停止されると、第１〜第３の電磁弁５４ａ，５４ｂ，５４ｃは、それぞれ冷媒の流路を閉鎖した状態となる。この状態において、冷媒回路５０内の冷媒は、図７に示すように、バイパス流路を第３の電磁弁５４ｃの第３の放熱器４２側から第３の電磁弁５４ｃの圧縮機４１側に向かって流通することから、第１〜第３の電磁弁５４ａ，５４ｂ，５４ｃの上流側と下流側との間の圧力のバランスが保持される。ここで、バイパス流路は、キャピラリチューブ５５が設けられており、第１〜第３の電磁弁５４ａ，５４ｂ，５４ｃが設けられた流路よりも冷媒の流通抵抗が著しく大きい。このため、冷媒回路５０内の冷媒は、第１〜第３の電磁弁５４ａ，５４ｂ，５４ｃの流路の何れかが開放されている場合には、バイパス流路を殆ど流通せず、第１〜第３の電磁弁５４ａ，５４ｂ，５４ｃの何れかの流路を流通する。
【００３１】
このように、本実施形態の冷却加熱装置としての自動販売機によれば、冷媒回路５０に、第１〜第３の電磁弁５４ａ，５４ｂ，５４ｃを閉鎖したときに、第３の電磁弁５４ｃの第３の放熱器４２側の流路と第３の電磁弁５４ｃの圧縮機４１側の流路との間に冷媒を流通可能なバイパス流路を設けたので、電力の供給が停止された場合においても、冷媒回路５０内の第１〜第３の電磁弁５４ａ，５４ｂ，５４ｃの上流側と下流側との間の圧力のバランスを保持することができ、異音の発生や圧縮機４１の起動性の悪化を防止することが可能となる。
【００３２】
また、バイパス流路に、第１〜第３の電磁弁５４ａ，５４ｂ，５４ｃが設けられた冷媒の流路の流通抵抗より大きな流通抵抗をキャピラリチューブ５５によって付与するように構成したので、バイパス流路を開閉する機構を必要とすることなく、第１〜第３の電磁弁５４ａ，５４ｂ，５４ｃを全て閉鎖したときのみにバイパス流路に冷媒を流通させることができ、製造コストの低減を図ることが可能となる。
【００３３】
尚、前記実施形態では、第１〜第３の電磁弁５４ａ，５４ｂ，５４ｃを全て閉鎖したときに、第３の電磁弁５４ｃの第３の放熱器４２側の流路から第３の電磁弁５４ｃの圧縮機４１側の流路に向かって冷媒を流通させる手段として、第３の電磁弁５４ｃをバイパスするバイパス流路にキャピラリチューブ５５を設けたものを示したが、図８に示すように、バイパス流路に、キャピラリチューブ５５の代わりとして膨張弁５６を設けるようにしても前記実施形態と同様の効果を得ることが可能となる。また、図９に示すように、バイパス流路に、キャピラリチューブ５５の代わりとして逆止弁５７を、流通方向を第３の放熱器４２側から圧縮機４１側に向けて設けるようにしても前記実施形態と同様の効果を得ることが可能となる。また、図１０に示すように、バイパス流路に、キャピラリチューブ５５の代わりとして、通電しない状態で流路を開放し、通電することにより流路を閉鎖する電磁弁５８を設けるようにしても前記実施形態と同様の効果を得ることが可能となる。
【００３４】
図１１及び図１２は本発明の第２実施形態を示すもので、図１１は冷媒回路を示す自動販売機の概略構成図、図１２は圧縮機の冷媒吐出側の冷媒流路を示す冷媒回路図である。
【００３５】
この冷却加熱装置としての自動販売機は、冷媒回路５０に、前記第１実施形態のバイパス流路を有しておらず、更に、第３の電磁弁５４ｃの代わりとして、キャピラリチューブ５９が設けられている。
【００３６】
以上のように構成された冷却加熱装置としての自動販売機において、圧縮機４１を運転している状態で第１及び第２の電磁弁５４ａ，５４ｂを閉鎖すると、冷媒回路５０内の冷媒は、全てキャピラリチューブ５９を流通する。また、圧縮機４１を運転している状態で第１及び第２の電磁弁５４ａ，５４ｂの一方または両方を開放すると、冷媒回路５０内の冷媒は、キャピラリチューブ５９の流通抵抗が第１及び第２の電磁弁５４ａ，５４ｂが設けられた流路の流通抵抗よりも大きいために、キャピラリチューブ５９を殆ど流通することはない。これにより、前記第１実施形態と同様に、第１の収納部３０ａ、第２の収納部３０ｂ及び第３の収納部３０ｃは、それぞれ冷却または加熱される。
【００３７】
また、メンテナンスや停電時など電力の供給が停止されると、第１及び第２の電磁弁５４ａ，５４ｂは、それぞれ冷媒の流路を閉鎖した状態となる。この状態において、冷媒回路５０内の冷媒は、図１２に示すように、キャピラリチューブ５９が設けられた流路を第３の放熱器４２側から圧縮機４１側に向かって流通することから、第１及び第２の電磁弁５４ａ，５４ｂの上流側と下流側との間の圧力のバランスが保持される。
【００３８】
このように、本実施形態の冷却加熱装置としての自動販売機によれば、第１の放熱器３６ａ及び第２の放熱器３６ｂが設けられた流路のそれぞれに第１及び第２の電磁弁５４ａ，５４ｂを設け、第３の放熱器４２が設けられた流路にキャピラリチューブ５９を設けたので、電力の供給が停止された場合においても、キャピラリチューブ５９に冷媒を流通させるよって冷媒回路５０内の第１〜第３の電磁弁５４ａ，５４ｂ，５４ｃの上流側と下流側との間の圧力のバランスを保持することができ、異音の発生や圧縮機４１の起動性の悪化を防止することが可能となる。
【００３９】
尚、前記実施形態では、冷媒回路５０に用いる冷媒として、自然系冷媒である二酸化炭素を用いたものを示したが、フルオロカーボン系の冷媒や炭化水素系の冷媒を用いた場合においても前記実施形態と同様の効果を得ることができる。
【図面の簡単な説明】
【００４０】
【図１】本発明の第１実施形態を示す自動販売機の全体斜視図
【図２】自動販売機の正面断面図
【図３】自動販売機の側面断面図
【図４】冷媒回路を示す自動販売機の概略構成図
【図５】第１の収納部、第２の収納部及び第３の収納部を全て冷却する場合を示す自動販売機の概略構成図
【図６】第１の収納部を加熱するとともに、第２の収納部及び第３の収納部を冷却する場合を示す自動販売機の概略構成図
【図７】圧縮機の冷媒吐出側の冷媒流路を示す冷媒回路図
【図８】その他の例を示す冷媒回路図
【図９】その他の例を示す冷媒回路図
【図１０】その他の例を示す冷媒回路図
【図１１】本発明の第２実施形態を示す冷媒回路を示す自動販売機の概略構成図
【図１２】圧縮機の冷媒吐出側の冷媒流路を示す冷媒回路図
【符号の説明】
【００４１】
３６ａ…第１の放熱器、３６ｂ…第２の放熱器、４１…圧縮機、４２…第３の放熱器、５０…冷媒回路、５４ａ…第１の電磁弁、５４ｂ…第２の電磁弁、５４ｃ…第３の電磁弁、５５…キャピラリチューブ、５７…逆止弁、５９…キャピラリチューブ。
【図１】
2009139022.tif 000003
【図２】
2009139022.tif 000004
【図３】
2009139022.tif 000005
【図４】
2009139022.tif 000006
【図５】
2009139022.tif 000007
【図６】
2009139022.tif 000008
【図７】
2009139022.tif 000009
【図８】
2009139022.tif 000010
【図９】
2009139022.tif 000011
【図１０】
2009139022.tif 000012
【図１１】
2009139022.tif 000013
【図１２】
2009139022.tif 000014